(57)【要約】【課題】  パネルがすっきり納まり、取替えも容易なパネル構造体の提供。【解決手段】  パネル２と、パネル枠３と、固定具４とを備え、パネル枠３は、パネル２と固定具４の取付溝５を有し、パネル２は、パネル枠３の取付溝５に対して見込方向から取付自在であり、パネル枠３と固定具４とで見込方向幅の広い浅溝部６と見込方向幅の狭い深溝部７が形成され、浅溝部６と深溝部７の何れかにパネル２端部を呑み込ませてある。【選択図】      図１
2019105082.tif 000002
【特許請求の範囲】
【請求項１】
パネルと、パネル枠と、固定具とを備え、パネル枠は、パネルと固定具の取付溝を有し、パネルは、パネル枠の取付溝に対して見込方向から取付自在であり、パネル枠と固定具とで見込方向幅の広い浅溝部と見込方向幅の狭い深溝部が形成され、浅溝部と深溝部の何れかにパネル端部を呑み込ませてあることを特徴とするパネル構造体。
【発明の詳細な説明】
【技術分野】
【０００１】
本発明は、表札パネル等のパネルの取替えが容易なパネル構造体に関する。
【背景技術】
【０００２】
住宅の玄関へのアプローチ等に、表札やインターホン等を備えた機能柱（機能ポール、機能門柱ともいう）を設置することがある。従来の機能柱は、例えば非特許文献１に示すように、柱の見付面に表札をボルトとナットで取付けているため、柱の表面から表札パネルが出っ張る上、表札パネルの表面にボルトの頭等が露出し、意匠的にすっきりしていなかった。また、表札パネルの取替えも容易でなかった。
【先行技術文献】
【特許文献】
【０００３】
【非特許文献１】三協立山株式会社 三協アルミ社発行のカタログ「エクステリア 総合カタログ」（カタログＮｏ．ＳＴＸ１０８９Ａ ＴＳ．１７．０３−３０００）、２０１７年２月、ｐ．２１４
【発明の概要】
【発明が解決しようとする課題】
【０００４】
本発明は以上に述べた実情に鑑み、パネルがすっきり納まり、取替えも容易なパネル構造体の提供を目的とする。
【課題を解決するための手段】
【０００５】
上記の課題を達成するために請求項１記載の発明によるパネル構造体は、パネルと、パネル枠と、固定具とを備え、パネル枠は、パネルと固定具の取付溝を有し、パネルは、パネル枠の取付溝に対して見込方向から取付自在であり、パネル枠と固定具とで見込方向幅の広い浅溝部と見込方向幅の狭い深溝部が形成され、浅溝部と深溝部の何れかにパネル端部を呑み込ませてあることを特徴とする。
【発明の効果】
【０００６】
請求項１記載の発明によるパネル構造体は、パネル枠にパネルと固定具の取付溝を有し、パネル枠と固定具とで見込方向幅の広い浅溝部と見込方向幅の狭い深溝部が形成され、浅溝部と深溝部の何れかにパネル端部を呑み込ませてあるので、厚みや材質の異なるパネルをパネル枠にすっきり納めることができる。しかもパネルは、パネル枠の取付溝に対して見込方向から取付自在なため、取替えが容易である。
【図面の簡単な説明】
【０００７】
【図１】図４のＡ−Ａ断面図である。
【図２】図４のＢ−Ｂ断面図である。
【図３】図４のＣ−Ｃ断面図である。
【図４】（ａ）は本発明のパネル構造体の第１実施形態に係る機能柱の正面図、（ｂ）は同機能柱の側面図、（ｃ）は同機能柱の背面図である。
【図５】同機能柱の分解斜視図である。
【図６】パネル枠へのパネルの取付け方を示す横断面図である。
【図７】固定具の取付け方を示す斜視図である。
【図８】支柱のカバーの取付け方を示す斜視図である。
【図９】図４のＡ−Ａ断面図であって、表札パネルを板厚の薄いものに交換した状態を示す。
【図１０】図４のＡ−Ａ断面図であって、表札パネルを台座に正方形の表札パネルをボルト・ナットで取付けたものに交換した状態を示す。
【図１１】（ａ）は第１実施形態の機能柱の変形例を示す正面図、（ｂ）は同機能柱の側面図、（ｃ）は同機能柱の背面図である。
【図１２】（ａ）は第１実施形態の機能柱の他の変形例を示す正面図、（ｂ）は同機能柱の側面図、（ｃ）は同機能柱の背面図である。
【図１３】図１２のＤ−Ｄ断面図である。
【図１４】（ａ）は第１実施形態の機能柱の他の変形例を示す正面図、（ｂ）は同機能柱の側面図、（ｃ）は同機能柱の背面図である。
【図１５】図１４のＥ−Ｅ断面図である。
【図１６】（ａ）は本発明のパネル構造体の第２実施形態に係る機能柱の正面図、（ｂ）は同機能柱の側面図、（ｃ）は同機能柱の背面図である。
【図１７】図１６のＦ−Ｆ断面図である。
【図１８】同機能柱の分解斜視図である。
【発明を実施するための形態】
【０００８】
以下、本発明の実施の形態を図面に基づいて説明する。図１〜５は、本発明に係るパネル構造体の第１実施形態であって、住宅の玄関へのアプローチ等に設置される機能柱１に適用したものを示している。本機能柱１は、図４，５に示すように、機能部９と、機能部９を片側（図示のものは正面から見て左側）で支持する１本の支柱８と、機能部９の支柱８と反対側の側面に取付けた目板１２を備えている。機能部９は、後述するように、支柱８が２本の場合（第２実施形態）と共通である。
【０００９】
機能部９は、図２，５に示すように、上部に表札パネル２を納めるパネル枠３を有し、その下に後側が開放した略コ字形断面のケース１４を有し、ケース１４には上から順に照明１５とインターホン１６とポスト１７が組み込まれている。パネル枠３の下からポスト１７の上までのケース１４の開放部は、着脱自在な蓋１８で塞がれている。
【００１０】
パネル枠３は、図１，２，５に示すように、上枠１９と下枠２０と左右の縦枠２１，２１を方形に枠組みして構成してある。左右の縦枠２１，２１は、アルミ合金の押出形材で形成したものであり、図１に示すように、前後方向の中央部に表札パネル２と固定具４の取付溝５が内周側に開放して設けてあり、取付溝５の前側の見込壁２２は前側に向かうにつれて外周側に傾斜し、取付溝５の後側の見込壁２３は後側に向かうにつれて外周側に傾斜しており、この後側の見込壁２３に表札パネル２を固定するための固定具４が取付けてある。取付溝５の前壁２４は、表札パネル２の前面が当接するものであり、外周側寄りの位置に突起２５が設けてある。取付溝５の後壁２６は表札パネル２の後面から離れた位置にあって、固定具４を外したときに表札パネル２の脱落を防ぐ脱落防止片となっている。
【００１１】
固定具４は、図１，２に示すように、左右の縦枠２１，２１の内周側面に長手方向に沿って設けてあり、縦枠２１の後側の傾斜した見込壁２３に当接してネジ３６で固定されるネジ止め片２７と、ネジ止め片２７の前側に設けられ、縦枠２１の取付溝５に挿入されて表札パネル２を後ろから押えるパネル押え片２８を有している。パネル押え片２８は、前側パネル押え部２８ａと後側パネル押さえ部２８ｂと両者を繋ぐ繋ぎ部２８ｃとで階段状に形成されており、縦枠２１の取付溝５の前壁２４と固定具４の後側パネル押さえ部２８ｂ及び繋ぎ部２８ｃとで、見込方向幅の広い浅溝部６が形成され、縦枠２１の取付溝５の前壁２４及び突起２５と固定具４の前側パネル押さえ部２８ａとで、見込方向幅の狭い深溝部７が形成されている。前側パネル押さえ部２８ａと後側パネル押さえ部２８ｂには、それぞれパッキン２９が設けてある。
【００１２】
表札パネル２は、板厚が５ｍｍでガラス又は樹脂で形成された透光性のあるもの（図１参照）、板厚が２ｍｍでステンレス等の金属板で形成したもの（図９参照）、金属製の台座３０（板厚５ｍｍ）に市販の１３０ｍｍ角の表札パネル２をボルト・ナット３１で取付けたもの（図１０参照）のうちから選択することができる。板厚が５ｍｍでガラス又は樹脂で形成された透光性のあるものの場合は、図１に示すように、表札パネル２の左右の端部を浅溝部６に呑み込ませて保持する。板厚が２ｍｍでステンレス等の金属板で形成したものの場合は、図９に示すように、表札パネル２の左右の端部を深溝部７に呑み込ませて保持する。台座３０に市販の１３０ｍｍ角の表札パネル２をボルト・ナット３１で取付けたものの場合は、図１０に示すように、台座３０の左右の端部を浅溝部６に呑み込ませて保持する。
【００１３】
上枠１９及び下枠２０は、図２に示すように、平らな板状となっており、表札パネル２の上下の小口と対向する面は何れもフラットになっている。下枠２０は、図１，２に示すように、ベース板３２に開口部３３を大きく設け、その上に透光パネル３４を取付けてあり、下枠２０の下方のケース１４内に上向きに設置した照明１５の光が、透光パネル３４を透して表札パネル２の前後を下から照らすようになっている。下枠２０上面の縦枠２１の取付溝５内の位置にはスペーサー３５が設けてあり、これにより表札パネル２の下端と下枠２０上面間に隙間を設けている。
【００１４】
表札パネル２の取付け方を説明する。表札パネル２は、図６に示すように、左右の固定具４，４を取外した状態で、後側からパネル枠３の左右の縦枠２１，２１の取付溝５，５に左右けんどんで入れ、スペーサー３５，３５の上に表札パネル２を載せる。この時点では表札パネル２はまだ固定されていないが、取付溝５の後壁２６（脱落防止片）に表札パネル２が引っ掛かることで表札パネル２の脱落を防止できる。その後、図７に示すように、左右の縦枠２１，２１に後側から固定具４，４を押し付け、ネジ３６で固定する。固定具４のネジ止め片２７が見込方向に対して傾斜していることで、パネル枠３の見付方向の幅が小さくても、ドライバー等の工具でネジ３６を操作する際にパネル枠３が邪魔にならない。
既に取付けられている表札パネル２を別のものに交換する際には、固定具４，４を外して表札パネル２を後側から取外してから、上記の要領で新しい表札パネル２を取付ければよい。
【００１５】
機能部９のケース１４は、アルミ合金の押出形材で形成したものであり、図３に示すように、後側が開放した略コ字型断面となっている。左右の側面の前側及び後側の端部には、取付部１１，１１，１１，１１が側方に突出して設けてある。各取付部１１は突条となっており、中間部で前後方向内側にクランク状に曲がり、先端部に略くの字型の係止部３７を有している。左右の側面の前後の突条１１，１１の間には、２条の突片３８，３８が間隔をあけて設けてあり、各突片３８は前後の突条１１と同じ長さ側方にのびている。
パネル枠３の縦枠２１にも、図１に示すように、外周側面の前側及び後側の端部にケース１４と同様に突条（取付部）１１，１１を有している。
【００１６】
ケース１４内の上部には、図２に示すように、ＬＥＤを用いた照明１５が上向きに取付けてある。照明１５の下には、インターホン用の台座３９を設け、台座３９に市販のインターホン１６を取付けてある。インターホン１６の下にはポスト上枠４０を設け、ポスト上枠４０の下にポスト１７を取付けてある。ポスト１７は、ステンレス板で形成した箱状のもので、図３，４に示すように、前面に投函口４１を有し、後面に鍵の付いた扉４２を有しており、ケース１４から後方に飛び出している。ケース１４の側面には、照明１５とインターホン１６への配線を通すための穴４３が設けてある。支柱８にも、ケース１４と同じ位置に配線用の穴４３が設けてある。
【００１７】
支柱８は、図３に示すように、アルミ合金の押出形材で角筒状に形成してある。支柱８は、機能部９側の側面に溝部１０が長手方向に沿って形成してあり、その溝部１０に機能部９の左側の側面の突条１１，１１が嵌め込んである。溝部１０の前側及び後側の壁には、溝１０の内側に向けて突出する突起４４が設けてあり、該突起４４に機能部９の突条１１の係止部３７が係止している。支柱８の機能部９と反対側の側面には、カバー取付用の溝４５，４５が前後方向に間隔をおいて設けてある。支柱８の上端の小口は、図７，８に示すように、小口キャップ４６を取付けて塞いである。
【００１８】
支柱８は、図１，３に示すように、機能部９が取付く面を除く三方を覆うカバー４７を有している。カバー４７は、アルミ又は樹脂の押出形材よりなり、表面が茶、黒、グレーなどの種々の色に着色してある。カバー４７は、見込み面の内側に係止片４８，４８が長手方向に沿って設けてあり、係止片４８，４８を支柱８のカバー取付用溝４５，４５に側方から嵌め込んで係止することで支柱８に取付けてある。カバー４７は、図３に示すように、前側及び後側の壁の端部４９，４９が機能部９に被さっており、これにより機能部９と支柱８との連結部を隠している。支柱８は、見付寸法Ｘ及び見込み寸法Ｙが７５ｍｍとなっている。
【００１９】
目板１２は、図３に示すように、機能部９側が開放した溝部１３を長手方向に沿って有しており、当該溝部１３は支柱８の溝部１０と同じ形状となっている。溝部１３の前側及び後側の壁には、溝１３の内側に向けて突出する突起４４が設けてあり、該突起４４に機能部９の突条１１の係止部３７が係止している。目板１２は、支柱８のカバー４７と同じ材質・色で形成してある。
【００２０】
次に、本機能柱１の施工手順を説明する。パネル枠３をケース１４上に取付け、ケース１４の下部にポスト１７を取付け、機能部９を組み立てる。次に、図５に示すように、機能部９の正面から見て左側の側面の突条１１，１１を支柱８の溝部１０に対して左右方向から嵌め込んで支柱８に取付け、機能部９の正面から見て右側の側面の突条１１，１１を目板１２の溝部１３に対して左右方向から嵌め込んで目板１２を取付ける。このとき、支柱８及び目板１２の上端の高さを機能部９の上端と同じ高さに合わせる。機能部９と支柱８とは、機能部９の内側からネジ５０で固定される。その後、ケース１４の後面に蓋１８を取付け、支柱８に配線を通すための管５１を挿入する。ここまでの作業は、工場で行われる。
その後、機能柱１の施工現場において、図８に示すように、支柱８に側方からカバー４７を嵌め込んで取付け、支柱８の上端に小口キャップ４６を取付ける。次に、支柱８の下端部を地面に埋め込んでコンクリートで固め、組み立てた機能柱１を立設する。次に、先に説明した要領で表札パネル２を取付ける。その後、照明１５の配線、インターホン１６の取付けと配線を行う。
【００２１】
図１１は、第１実施形態の機能柱１の変形例であって、ポスト１７の投函物取り出し用の扉４２を、後面ではなく側面に設けた場合を示している。
【００２２】
図１２，１３は、第１実施形態の機能柱１の他の変形例であって、左右勝手違いの場合を示している。すなわち、機能部９の正面から見て右側の側面の突条１１，１１を支柱８の溝部１０に嵌め込んで支柱８に取付け、機能部９の正面から見て左側の側面の突条１１，１１を目板１２の溝部１３に嵌め込んで目板１２を取付けている。
【００２３】
図１４，１５は、第１実施形態の機能柱１のさらに別の変形例であって、支柱８を大きくしたものを示している。先に説明したもの（図１参照）は、支柱８の見付寸法Ｘ及び見込寸法Ｙが７５ｍｍであったが、本実施形態のものは支柱８の見付寸法Ｘ及び見込寸法Ｙが９０ｍｍと大きくなっている。
【００２４】
図１６〜１８は、本発明の機能柱１の第２実施形態を示している。本実施形態の機能柱１は、２本の支柱８，８を有し、２本の支柱８，８の間に機能部９を設けている。機能部９は、第１実施形態と共通である。
本実施形態の機能柱１は、図１７，１８に示すように、機能部９の左右両側の側面の突条１１，１１，１１，１１を支柱８，８の溝部１０に嵌め込んで支柱８，８に取付けている。支柱８，８に機能部９が取付く面を除く三方を覆うカバー４７が取付けられ、カバー４７の端部４９，４９が機能部９に被さっている点は、第１実施形態と同様である。支柱は、見付寸法Ｘが３５ｍｍと第１実施形態のものよりも小さくなっている。本実施形態の機能柱１は、図示しない門扉を取付けて門柱（いわゆる機能門柱）として用いることもできる。
【００２５】
以上に述べたように本機能柱（パネル構造体）１は、パネル枠３にパネル（表札パネル）２と固定具４の取付溝５を有し、パネル枠３と固定具４とで見込方向幅の広い浅溝部６と見込方向幅の狭い深溝部７が形成され、浅溝部６と深溝部７の何れかにパネル２端部を呑み込ませてあるので、厚みや材質の異なるパネル２をパネル枠３にすっきり納めることができる。しかもパネル２は、パネル枠３の取付溝５に対して見込方向から取付自在なため、取替えが容易である。
パネル枠３は、方形に枠組みしてあって、パネル２の上側と下側はフラットであるため、パネル２の着脱が見込方向から容易に行える。
固定具４は、ネジ止め片２７が見込方向に対して傾斜しているため、パネル枠３の見付方向の幅が小さくても、ドライバー等の工具でネジ３６を操作する際にパネル枠３が邪魔にならない。
パネル枠３は、固定具４を外したときにパネル２の脱落を防ぐ脱落防止片２６を有するため、パネル２の交換がより一層容易に行える。
【００２６】
また本機能柱１は、機能部９の左右の側面に取付部１１，１１を有し、取付部１１，１１は突条であり、左右の突条１１，１１，１１，１１を各々左右の支柱８，８の溝部１０に嵌め込んで左右の支柱８，８間に取付けてあるか、目板１２を有し、目板１２は側面に溝部１３を有し、左右の突条のうちの一方の突条１１，１１を目板１２の溝部１３に嵌め込んで目板１２を取付け、他方の突条１１，１１を支柱８の溝部１０に嵌め込んで支柱８に取付けてあるので、同一の機能部９を用いて支柱が１本の場合と２本の場合のどちらにも対応でき、どちらの場合も簡単に組立てできる。機能部９の取付部（突条）１１，１１，１１，１１が、支柱８の溝部１０内に納まるので、すっきりした意匠になる。
機能部９の突条１１，１１，１１，１１は、支柱８及び目板１２の溝部１０，１３に対して左右方向から嵌め込むので、長手方向から通し込む場合と比較して、機能部９と支柱８及び目板１２との組立てが狭いスペースで行え、組立作業がしやすい。
支柱８は、機能部９が取付く面を除く三方を覆うカバー４７を有し、カバー４７の端部４９，４９が機能部９に被さっていることで、機能部９と支柱８の連結部を隠すことができ、意匠性が向上する。また、カバー４７を材質や形状、色の異なるものに付け替えることで、支柱８の意匠や寸法を変化させることができる。
【００２７】
本発明は以上に述べた実施形態に限定されない。パネル枠及びパネルの材質、形状は、適宜変更することができる。パネル枠は、必ずしも四周枠組みしたものでなくてもよい。取付溝と固定具は、パネルの四周の縁部のうちの少なくとも一つの縁部に設けてあればよい。パネルは、表札パネルに限定されるものではなく、パネル枠に対してパネルを見込方向から着脱できるパネル構造体として、広く本発明を用いることができる。
【符号の説明】
【００２８】
１  機能柱（パネル構造体）
２  表札パネル（パネル）
３  パネル枠
４  固定具
５  取付溝
６  浅溝部
７  深溝部
８  支柱
９  機能部
１０  支柱の溝部
１１  突条（取付部）
１２  目板
１３  目板の溝部
【図１】
2019105082.tif 000003
【図２】
2019105082.tif 000004
【図３】
2019105082.tif 000005
【図４】
2019105082.tif 000006
【図５】
2019105082.tif 000007
【図６】
2019105082.tif 000008
【図７】
2019105082.tif 000009
【図８】
2019105082.tif 000010
【図９】
2019105082.tif 000011
【図１０】
2019105082.tif 000012
【図１１】
2019105082.tif 000013
【図１２】
2019105082.tif 000014
【図１３】
2019105082.tif 000015
【図１４】
2019105082.tif 000016
【図１５】
2019105082.tif 000017
【図１６】
2019105082.tif 000018
【図１７】
2019105082.tif 000019
【図１８】
2019105082.tif 000020